【手続補正書】
【提出日】平成24年11月16日(2012.11.16)
【手続補正１】
【補正対象書類名】特許請求の範囲
【補正対象項目名】全文
【補正方法】変更
【補正の内容】
【特許請求の範囲】
【請求項１】
被検者が第１の体位にあるときの第１のセンサからの、血液の存在に依存する信号と、
前記被検者が第２の体位にあるときの前記第１のセンサからの、血液の存在に依存する信号と、
前記被検者が前記第１の体位にあるときの第２のセンサからの、血液の存在に依存する信号と、
前記被検者が前記第２の体位にあるときの前記第２のセンサからの、血液の存在に依存する信号と、
を含む、少なくとも２つの体位に関する少なくとも２つのセンサからの信号を提供するように構成された入力インターフェイスと、
前記提供された信号を所定の較正データに基づいて合成することによりメトリックを決定して出力するように構成された処理回路と、
を備えることを特徴とする装置。
【請求項２】
前記信号が、センサと体位の組み合わせごとに、検出した光強度の少なくとも１つの対数を含む、
ことを特徴とする請求項１に記載の装置。
【請求項３】
前記信号が、センサと体位の組み合わせごとに、
検出した光強度の時変成分及び検出した光強度の準静的成分；及び／又は
検出した光強度の時変成分の対数及び検出した光強度の準静的成分の対数；及び／又は
光反射センサにおいて検出された光強度信号に基づく信号と、光透過センサにおいて検出された光強度信号に基づく信号と；及び／又は
第１の波長であり第２の波長でない波長の検出された光強度信号に基づく信号と、少なくとも前記第２の波長であり前記第１の波長でない波長の検出された光強度信号に基づく信号と
を含む、
ことを特徴とする請求項１又は請求項２に記載の装置。
【請求項４】
前記較正データを使用して、前記提供された信号の、予想される信号の統計モデルの予想される平均からの逸脱を評価して前記メトリックを作成する；及び／又は
前記較正データが、前記信号の非線形結合を定義する；及び／又は
前記較正データが、機械学習を使用して予め定められる、
ことを特徴とする請求項１から請求項３のいずれかに記載の装置。
【請求項５】
複数のノードを含む人工的ニューラルネットワークをエミュレートするように構成され、前記ノードの各々が、前記較正データにより提供される、前記ノードに入力するための重みに関連付けられる、
ことを特徴とする請求項１から請求項４のいずれかに記載の装置。
【請求項６】
複数の予め定めた標準的な異なる体位のシーケンスの各々のための較正データセットを含む複数の較正データセットを記憶するメモリをさらに備える、
ことを特徴とする請求項１から請求項５のいずれかに記載の装置。
【請求項７】
前記被検者の前記第１の体位から前記第２の体位への変化が、前記被検者の心臓に対する前記被検者の頭部の相対的垂直変位を伴わない前記被検者の心臓に対する被検者の四肢の相対的垂直変位を引き起こす；又は
前記被検者の前記第１の体位から前記第２の体位への変化が、前記被検者の心臓に対する前記被検者の頭部の相対的垂直変位を引き起こす、
ことを特徴とする請求項１から請求項６のいずれか１項に記載の装置。
【請求項８】
前記メトリックが、前記信号の、正常な循環系の前記予め定めた第１及び第２の体位のシーケンスに対する予想される反応を特徴付ける予想される信号パターンからの逸脱を記録する、
ことを特徴とする請求項１から請求項７のいずれかに記載の装置。
【請求項９】
請求項１から請求項８のいずれかに記載の装置と、
少なくとも第１のセンサ及び第２のセンサと、
を備えることを特徴とするシステム。
【請求項１０】
前記第１のセンサが第１の場所に存在し、前記第２のセンサが第２の異なる場所に存在し、
前記第１のセンサが、第１の波長であり第２の波長でない光を検出し、前記第２のセンサが、前記第２の波長であり第１の波長でない光を検出する、
ことを特徴とする請求項９に記載のシステム。
【請求項１１】
前記第１のセンサ及び第２のセンサが、
インターフェイスを介して前記装置に接続できるインターコネクトを備えたフレキシブル基板に取り付けられ、前記フレキシブル基板の、前記インターコネクトの１又はそれ以上の下にある部分に構造的脆弱部が加工され、使用時に、前記フレキシブル基板の前記構造的脆弱部を有する部分が、前記基板を外れないように保持する前記インターフェイスに接続し、前記フレキシブル基板を前記インターフェイスから取り外そうと試みたときに、前記加工された構造的脆弱部により前記１又はそれ以上のインターコネクトが裂けるようになる；及び／又は
被検者に適用するためのフレキシブル基板に取り付けられるとともに、前記フレキシブル基板に組み込まれた第１のインターコネクトの組を介して前記処理回路に接続することができ、
前記基板に組み込まれた前記インターコネクトの順序付けが、前記フレキシブル基板が右側の四肢に使用するためのものか、又は左側の四肢に使用するためのものかに依存し、  使用時に、前記基板に組み込まれた前記インターコネクトの前記順序付けが、前記フレキシブル基板が前記被検者の右側の四肢に適用されているか、又は前記被検者の左側の四肢に適用されているかを前記処理回路に示す；及び／又は
フレキシブルで両面使用可能な基板の第１の面に取り付けられるとともに、前記フレキシブル基板の前記第１の面に存在する第１のインターコネクトの組を介して前記処理回路に接続することができ、
第３のセンサ及び第４のセンサが、レキシブル基板の第２の面に取り付けられるとともに、前記フレキシブル基板の前記第２の面に存在する第２のインターコネクトの組を介して前記処理回路に接続することができ、
前記フレキシブル基板の前記第１の面が上を向いている場合の前記フレキシブルインターコネクトの前記第１の面を横切る前記第１のインターコネクトの組の順序付けが、前記フレキシブル基板の前記第２の面が上を向いている場合の前記フレキシブル基板の前記第２の面を横切る前記第２のインターコネクトの組の順序付けと異なることにより、前記処理回路が、前記両面使用可能なフレキシブル基板のいずれの面を使用できるかを判定できるようになる、
ことを特徴とする請求項９又は請求項１０に記載のシステム。
【請求項１２】
前記第１のセンサにより検出された第１の信号を、前記処理回路で結合する前に処理して周波数成分の異なる並列信号を生成し、前記第２のセンサにより検出された第２の信号を、前記処理回路で結合する前に処理して周波数成分の異なる並列信号を生成する、
ことを特徴とする請求項９から請求項１１のいずれか１項に記載のシステム。
【請求項１３】
被検者の血液循環を評価するためのシステムであって、
前記被検者が第１の体位にある場合、及び前記被検者が第２の体位にある場合の血液の存在に依存する信号を検出するように構成された第１の検出器と、
前記被検者が前記第１の体位にある場合、及び前記被検者が前記第２の体位にある場合の血液の存在に依存する信号を検出するように構成された少なくとも１つの他の検出器と、
前記第１及び第２の検出器からの前記第１及び第２の体位に関する前記検出信号を較正データに基づいて合成することによりメトリックを決定するように構成された処理回路と、
を備えることを特徴とするシステム。
【請求項１４】
被検者に光学センサを取り付けるステップと、
前記光学センサを請求項１から請求項８のいずれか１項に記載の装置に接続するステップと、
予め定めた順序の、前記第１及び第２の体位を含む異なる体位のシーケンスを通じて前記被検者を動かすステップと、
を含むことを特徴とする方法。
【請求項１５】
前記光学センサが、前記被検者に使い捨てフレキシブル基板を取り付けることによって取り付けられる、
ことを特徴とする請求項１４に記載の方法。
【請求項１６】
前記使い捨てフレキシブル基板が四肢に取り付けられ、少なくとも１つの光反射センサを備え、
前記フレキシブル基板が、接着剤のみを使用してクランプ力を使用せずに取り付けられる、
ことを特徴とする請求項１５に記載の方法。
【請求項１７】
前記使い捨てフレキシブル基板が被検者の頭部に取り付けられ、少なくとも１つの光透過センサを備える、
ことを特徴とする請求項１５に記載の方法。
【請求項１８】
フレキシブル基板と、
前記フレキシブル基板上の第１の場所に存在する、反射構成で構成された第１の光学センサと、
前記第１の光学センサを密接に外接させる第１の接着カラーと、
前記フレキシブル基板上の第２の場所に存在する第２の光学センサと、
前記第２の光学センサを密接に外接させる第２の接着カラーと、
を備え、前記第１の接着カラーが、生理学的検知のために前記第１のセンサを被検者の身体に近接して位置決めするように構成され、前記第２の接着カラーが、生理学的検知のために前記第２のセンサを前記被検者の身体に近接して位置決めするように構成される、
ことを特徴とする装置。
【請求項１９】
加工された構造的脆弱部を含むフレキシブル基板と、
前記フレキシブル基板に取り付けられた少なくとも第１のセンサ及び第２のセンサと、  前記第１及び第２のセンサに接続されたインターコネクトと、
前記インターコネクトをケーブルに接続するためのインターフェイスと、
を備え、前記加工された構造的脆弱部が、１又はそれ以上の前記インターコネクトの下に前記インターフェイスに隣接して存在する、
ことを特徴とする装置。
【請求項２０】
第１の面及び反対側の第２の面を有する両面使用可能なフレキシブル基板と、
前記両面使用可能なフレキシブル基板の前記第１の面に取り付けられた第１のセンサ及び第２のセンサと、
前記両面使用可能なフレキシブル基板の前記第１の面に存在する、前記第１及び第２のセンサに第１の順序で接続された第１のインターコネクトの組と、
前記両面使用可能なフレキシブル基板の前記第１の面に取り付けられた第３のセンサ及び第４のセンサと、
前記両面使用可能なフレキシブル基板の前記第２の面に存在する、前記第３及び第４のセンサに第２の順序で接続された第２のインターコネクトの組と、
を備え、前記フレキシブル基板の前記第１の面が上を向いている場合の前記フレキシブルインターコネクトの前記第１の面を横切る前記第１のインターコネクトの組の前記第１の順序が、前記フレキシブル基板の前記第２の面が上を向いている場合の前記フレキシブル基板の前記第２の面を横切る前記第２のインターコネクトの組の前記第２の順序と異なる、
ことを特徴とする装置。
【請求項２１】
装置であって、
少なくとも第１のセンサ及び第２のセンサを備えた、被検者に適用するためのフレキシブル基板と、
前記フレキシブル基板に支持されて前記センサに接続されたインターコネクトの組と、  前記インターコネクトを遠隔処理回路に接続するためのインターフェイスと、
を備え、前記インターコネクトの順序付けが、前記フレキシブル基板が右側の四肢に使用するためのものか、又は左側の四肢に使用するためのものかに依存し、前記装置の使用時に、前記インターコネクトの順序付けが、前記フレキシブル基板が前記被検者の右側の四肢に適用されているか、又は前記被検者の左側の四肢に適用されているかを前記処理回路に示す、
ことを特徴とする装置。
【請求項２２】
一群のフレキシブル基板であって、
個々のフレキシブル基板が、被検者の異なる身体の部分に適用されるように人間工学的に構成され、前記フレキシブル基板が、
少なくとも第１のセンサ及び第２のセンサと、
前記フレキシブル基板に支持されて前記センサに接続されたインターコネクトの組と、  前記インターコネクトを遠隔処理回路に接続するための共通の固定された物理的構成のインターフェイスコネクタを備えたインターフェイスと、
を備え、前記共通の固定された物理的構成のインターフェイスコネクタに対する前記インターコネクトの順序付けが、フレキシブル基板を適用する前記身体の部分に依存し、前記共通の固定された物理的構成のインターフェイスコネクタに対する前記インターコネクトの順序付けが、前記フレキシブル基板の使用時に、前記フレキシブル基板が取り付けられた前記身体の部分を前記処理回路に対して一意に示す、
ことを特徴とする一群のフレキシブル基板。